(57)【要約】【課題】従来の押出ダイのように、高さと広さが限制されて、自由に比例を制御できないことを解消できる組立て式堆積型放熱フィンセットである。【解決手段】本発明は、主として、組立てユニットを堆積することにより、所定の広さになり、組立てユニットが押出成型により単一の放熱フィンであってもいいし、複数の放熱フィンであってもよく、組立てユニットの一端の両側に設けられた係合突出と係合凹槽とが互いに係合することにより、組立てユニットを堆積することにより、予めに設定したサイズの組立て式放熱フィンセットに組立てる。【選択図】図２
2007250643.tif 000002
【特許請求の範囲】
【請求項１】
組立てユニットを堆積することにより、放熱フィンの所定の広さに組み立てられる放熱フィンセットであって、
組立てユニットの両側に、それぞれ、係合突出と係合凹槽があり、二つの組立てユニットを組立てる時、その一つの組立てユニットの係合突出を、もう一つの組立てユニットの対応する係合凹槽に係合し、係合突出と係合凹槽とが互いに係合する組立て方式により、順に二つ以上の複数の組立てユニットを堆積することにより放熱フィンセットが組立てられる、
ことを特徴とする組立て式堆積型放熱フィンセット。
【請求項２】
当該組立てユニットは、押出成型による単一の放熱フィンであることを特徴とする請求項１に記載の組立て式堆積型放熱フィンセット。
【請求項３】
当該組立てユニットは、押出成型による複数のフィンを有する放熱フィンであることを特徴とする請求項１に記載の組立て式堆積型放熱フィンセット。
【請求項４】
当該組立てユニットは、一端の両側に、係合突出と係合凹槽とが設けられることを特徴とする請求項１に記載の組立て式堆積型放熱フィンセット。
【請求項５】
当該組立てユニットは、両端の両側に、係合突出と係合凹槽とが設けられ、中間部分が放熱フィンの構造になることを特徴とする請求項１に記載の組立て式堆積型放熱フィンセット。
【請求項６】
当該組立てユニットは、中間部分において、両側に係合突出と係合凹槽が設けられ、両端が放熱フィンの構造になることを特徴とする請求項１に記載の組立て式堆積型放熱フィンセット。
【発明の詳細な説明】
【技術分野】
【０００１】
本発明は、組立て式堆積型放熱フィンセットに関し、特に、放熱機能が強化される組立て式放熱フィンに関する。
【背景技術】
【０００２】
従来の押出成型による単一の放熱フィンセット(図１のように)は、大型の押出ダイにより放熱フィンを押出する一体成型であり、また、小型の押出機により成型した後、油圧プレスにより、所定の放熱フィンにプレスすることもある。
【０００３】
一般として、大型の押出ダイであれば、コストが高く、開発サイクルが長く、そして、ダイの作製上、比較的に困難になり、また、小型の押出ダイによる方式でも、上記のものと同じように、損害し易い欠点があり、メンテナンスコストや工作時間の増加だけでなく、従来の押出ダイによるものは、高さと広さが制限され、成型すると、サイズの変更が出来ず、そのため、自由に放熱フィンの高さや広さの比例を変更できる便利性や実用性がなく、また、より大きいサイズであれば、製造できる大型の押出ダイや押出機が存在しない恐れがある。
【０００４】
そのため、従来の押出成型による単一の放熱フィンには、故障しやすいことやコストが高いこと、開発時間が長いこと、便利性と実用性が不足であること及び製造できる超大型の押出ダイや押出機が存在しないこと等の問題を解消しなければならない。
【発明の開示】
【発明が解決しようとする課題】
【０００５】
本発明の主な目的は、上記の押出成型による単一である放熱フィンの押出ダイが容易に損害や故障になる欠点を解消でき、コストダウンや時間の節約を実現し、組立てユニットの係合突出と係合凹槽とが、互いに係合することにより、複数の組立てユニットを堆積することにより予めに設定されたサイズの組立て式放熱フィンに組み立てられ、大きいパワーの製品に特に有利的である組立て式堆積型放熱フィンセットを提供する。
【０００６】
本発明の他の目的は、押出成型による単一の組立てユニットや複数の組立てユニットにより、自由に放熱フィンの高さや広さの比例を制御でき、サイズの変更が簡単で、便利性と実用性を有する組立て式堆積型放熱フィンセットである。
【課題を解決するための手段】
【０００７】
請求項１の発明は、組立てユニットを堆積することにより、放熱フィンの所定の広さに組み立てられる放熱フィンセットであって、組立てユニットの両側に、それぞれ、係合突出と係合凹槽があり、二つの組立てユニットを組立てる時、その一つの組立てユニットの係合突出を、もう一つの組立てユニットの対応する係合凹槽に係合し、係合突出と係合凹槽とが互いに係合する組立て方式により、順に二つ以上の複数の組立てユニットを堆積することにより放熱フィンセットが組立てられる、ことを特徴とする組立て式堆積型放熱フィンセットである。
【０００８】
請求項２の発明は、請求項１に記載の組立て式堆積型放熱フィンセットであって、当該組立てユニットは、押出成型による単一の放熱フィンである。
【０００９】
請求項３の発明は、請求項１に記載の組立て式堆積型放熱フィンセットであって、当該組立てユニットは、押出成型による複数のフィンを有する放熱フィンである。
【００１０】
請求項４の発明は、請求項１に記載の組立て式堆積型放熱フィンセットであって、当該組立てユニットは、一端の両側に、係合突出と係合凹槽とが設けられる。
【００１１】
請求項５の発明は、請求項１に記載の組立て式堆積型放熱フィンセットであって、当該組立てユニットは、両端の両側に、係合突出と係合凹槽とが設けられ、中間部分が放熱フィンの構造になる。
【００１２】
請求項６の発明は、請求項１に記載の組立て式堆積型放熱フィンセットであって、当該組立てユニットは、中間部分において、両側に係合突出と係合凹槽が設けられ、両端が放熱フィンの構造になる。
【発明を実施するための最良の形態】
【００１３】
本発明は、図２乃至４のように、組立て式堆積型放熱フィンセットである。
【００１４】
放熱フィンセットは、主として、複数の組立てユニット１を堆積することにより、放熱フィンの必要とする広さを形成する。
【００１５】
当該組立てユニット１は、押出ダイで１回押出成型され、その高さＡと長さＢが予めに設定されたもので、その広さＣ１を堆積することにより、所定の広さＣになる。
【００１６】
組立てユニット１は、一端１０の両側に、それぞれ、複数の対称する係合突出１１と係合凹槽１２とが設けられ、二つの組立てユニット１を組立てる時、一つの組立てユニット１の係合突出１１を、もう一つの組立てユニット１の対称する係合凹槽１２に係合することだけで、係合突出１１と係合凹槽１２との係合により、二つの組立てユニット１が組立てられ、同じ方法により、二つ以上の複数の組立てユニット１が、堆積されることにより、当該放熱フィンセットが組立てられる。
【００１７】
本発明は、組立てユニット１に、互いに係合するための係合突出１１と係合凹槽１２とがあるため、組立てユニット１を堆積して、予めに設定された広さＣの組立て式放熱フィンセットに組立てられ、従来の押出ダイの高さと広さの制限により、成型されたらサイズの変更が出来なく、そして、自由に高さと広さの比例を制御できないことを無くし、また、堆積により組立てられる組立て式放熱フィンセットの場合は、ダイに故障が発生することを防止でき、大幅にコストや工作時間を低減できる。
【００１８】
図５のように、本発明にかかわる組立てユニット１は、押出成型による単一の放熱フィンであってもいいし、押出成型による複数の放熱フィンであってもよく、組立てユニット１の両側に、対称する単一や複数の係合突出１１と係合凹槽１２が設けられれば、順に二つ以上の複数の組立てユニット１を、互いに堆積することにより、放熱フィンセットに組立てる。
【００１９】
また、図６と７のように、本発明に係わる組立てユニット１は、一端１０の両側に、対称する単一や複数の係合突出１１と係合凹槽１２が設けられることができるが、もう一端１３と一端１０の両側に、それぞれ、対称する単一や複数の係合突出１１と係合凹槽１２とが設けられ、また、中間部分１４を放熱フィンの構造とし、もう一端１３と一端１０の両側にある係合突出１１と係合凹槽１２との互いに係合することにより、二つ以上の複数の組立てユニット１を、互いに堆積することにより、放熱フィンセットに組立てる。
【００２０】
図８と９のように、本発明に係わる組立てユニット１aは、中間部分１４aの両側に、それぞれ、対称する単一や複数の係合突出１１と係合凹槽１２とが設けられ、もう一端１３aと一端１０aの両端が、放熱フィンの構造になり、中間部分１４aにある係合突出１１と係合凹槽１２との互いに係合することにより、二つ以上の複数の組立てユニット１を互いに堆積することにより放熱フィンセットに組立てる。
【図面の簡単な説明】
【００２１】
【図１】従来の放熱フィンの外観立体概念図
【図２】本発明に係わる組立てユニットの外観立体概念図
【図３】本発明に係わる組立てユニットの上面概念図
【図４】本発明に係わる放熱フィンセットの組立て図
【図５】本発明の他の組立てユニットの実施例の上面概念図
【図６】本発明の更に他の組立てユニットの実施例の上面概念図
【図７】本発明の更に他の放熱フィンセットの実施例の組立て図
【図８】本発明の更に他の組立てユニットの実施例の上面概念図
【図９】本発明の更に他の放熱フィンセットの実施例の組立て図
【符号の説明】
【００２２】
Ａ  高さ
Ｂ  長さ
Ｃ  放熱フィンセットの広さ
Ｃ１   組立てユニットの広さ
１     組立てユニット
１０   組立てユニットの一端
１１   係合突出
１２   係合凹槽
１３   組立てユニットのもう一端
１４   組立てユニットの中間部分
１a    他の押出成型の組立てユニット
１０a  他の押出成型の組立てユニットの一端
１３a  他の押出成型の組立てユニットのもう一端
１４a  他の押出成型の組立てユニットの中間部分
【図１】
2007250643.tif 000003
【図２】
2007250643.tif 000004
【図３】
2007250643.tif 000005
【図４】
2007250643.tif 000006
【図５】
2007250643.tif 000007
【図６】
2007250643.tif 000008
【図７】
2007250643.tif 000009
【図８】
2007250643.tif 000010
【図９】
2007250643.tif 000011